(57)【特許請求の範囲】
【請求項１】
反射凹面を有する楕円面リフレクタ及び前記楕円面リフレクタの第１焦点近傍に発光中心を有する発光管を有する光源装置と、前記光源装置からの照明光束を被照明領域側に向けて射出する凹レンズと、前記凹レンズから射出された照明光束を複数の部分光束に分割する第１レンズアレイと、前記複数の部分光束を画像形成領域近傍に結像させる第２レンズアレイ及び重畳レンズとを備える照明装置と、
前記画像形成領域に照射される照明光束を画像情報に応じて変調する電気光学変調装置と、
前記電気光学変調装置によって変調された光を投写する投写光学系とを備え、
前記第１の仮想平面での前記楕円面リフレクタの断面の径寸法をＤとし、前記第２の仮想平面での前記楕円面リフレクタの断面の径寸法をＤ’としたとき、
前記楕円面リフレクタは、Ｄ＜Ｄ’となるように、前記反射凹面の一部が削除された形状を有し、
前記楕円面リフレクタの中心軸を含む第１の仮想平面での前記楕円面リフレクタの断面の第１焦点をＦ１及び第２焦点をＦ２とし、前記楕円面リフレクタの中心軸を含み前記第１の仮想平面に直交する第２の仮想平面での前記楕円面リフレクタの断面の第１焦点をＦ１’及び第２焦点をＦ２’としたとき、
前記楕円面リフレクタは、Ｆ１とＦ１’とが同じ位置となり、Ｆ２がＦ２’よりも前記楕円面リフレクタ側の位置となるように、段差無く連続する回転非対称性の凹面形状を有し、
前記第１の仮想平面での前記凹レンズの屈折力をρとし、前記第２の仮想平面での前記凹レンズの屈折力をρ’としたとき、
ρ＞ρ’であり、
前記第１の仮想平面及び前記第２の仮想平面において前記光源装置からの照明光束を平行化することを特徴とするプロジェクタ。
【請求項２】
請求項１に記載のプロジェクタにおいて、
前記光源装置は、前記発光管から被照明領域側に放射される光を前記発光管に向けて反射するための副鏡又は反射膜をさらに有することを特徴とするプロジェクタ。
【請求項３】
請求項２に記載のプロジェクタにおいて、
前記副鏡又は前記反射膜は、前記発光管から前記楕円面リフレクタの前記反射凹面における削除された部分に向けて放射される光を前記発光管に向けて反射するように構成されていることを特徴とするプロジェクタ。
【発明の詳細な説明】
【技術分野】
【０００１】
本発明は、照明装置及びプロジェクタに関する。
【背景技術】
【０００２】
一般に、プロジェクタは、照明光束を射出する光源装置を有する照明装置と、照明装置（光源装置）からの照明光束を画像情報に応じて変調する液晶光変調装置と、液晶光変調装置によって変調された光をスクリーン等の投写面に投写する投写光学系とを備えている（例えば、特許文献１参照。）。
【０００３】
光源装置は、楕円面リフレクタと、楕円面リフレクタの第１焦点近傍に発光中心を有する発光管とを有し、照明光軸を中心軸とする光束を射出する。また、光源装置の被照明領域側には凹レンズが配置されており、楕円面リフレクタからの光を光路後段に向けて射出するように構成されている。
【０００４】
【特許文献１】国際公開第２００４／２０８９８号
【発明の開示】
【発明が解決しようとする課題】
【０００５】
ところで、近年のプロジェクタの小型化にともない、照明装置の厚みをさらに薄くしたいという要望がある。
【０００６】
そこで、本発明は、このような事情に鑑みてなされたもので、従来よりも薄型化を図ることが可能な照明装置及びプロジェクタを提供することを目的とする。
【課題を解決するための手段】
【０００７】
本発明者は、上記目的を達成するために鋭意研究を重ねた結果、楕円面リフレクタとして、例えば、垂直断面内における第１焦点（Ｆ１）と水平断面内における第１焦点（Ｆ１’）とが一致し、かつ、垂直断面内における第２焦点（Ｆ２）が水平断面内における第２焦点（Ｆ２’）よりもリフレクタ側に位置するような回転非対称性の凹面形状を有する楕円面リフレクタを用いれば、楕円面リフレクタにおける垂直方向の径寸法を短くすることができるとともに、光源装置の光路後段に配置される光学系の垂直方向の寸法を短くすることができ、結果として、従来よりも薄型化を図ることが可能となることに想到し、本発明を完成させるに至った。
【０００８】
すなわち、本発明の照明装置は、反射凹面を有する楕円面リフレクタ及び前記楕円面リフレクタの第１焦点近傍に発光中心を有する発光管を有する光源装置を備え、前記楕円面リフレクタの中心軸を含む第１の仮想平面での前記楕円面リフレクタの断面の第１焦点をＦ１及び第２焦点をＦ２とし、前記楕円面リフレクタの中心軸を含み前記第１の仮想平面に直交する第２の仮想平面での前記楕円面リフレクタの断面の第１焦点をＦ１’及び第２焦点をＦ２’としたとき、前記楕円面リフレクタは、Ｆ１とＦ１’とが同じ位置となり、Ｆ２がＦ２’よりも前記楕円面リフレクタ側の位置となるような回転非対称性の凹面形状を有することを特徴とする。
【０００９】
このため、本発明の照明装置によれば、上記した回転非対称性の凹面形状を有する楕円面リフレクタを備えているため、第１の仮想平面での楕円面リフレクタの断面の径寸法が、第２の仮想平面での楕円面リフレクタの断面の径寸法よりも短くなり、光源装置における第１の仮想平面に沿った方向（第２の仮想平面に直交する方向）の寸法を、光源装置における第２の仮想平面に沿った方向（第１の仮想平面に直交する方向）の寸法よりも短くすることが可能となる。このとき、例えば第１の仮想平面を垂直平面とし、第２の仮想平面を水平平面とすると、本発明の照明装置によれば、楕円面リフレクタにおける垂直方向の径寸法が水平方向の径寸法よりも短くなるため、光源装置における垂直方向の寸法を水平方向の寸法よりも短くすることが可能となる。その結果、照明装置の厚みを従来よりも薄く（照明装置の高さを従来よりも小さく）することが可能となる。
【００１０】
ところで、光源装置の光射出側に凹レンズや重畳レンズなどの光学系が配置された照明装置に本発明が適用された場合（後述する図６参照。）、Ｆ２がＦ２’よりも楕円面リフレクタ側の位置にあることから、凹レンズにおける第１の仮想平面に沿った方向（第２の仮想平面に直交する方向）の寸法ｄ１を、凹レンズにおける第２の仮想平面に沿った方向（第１の仮想平面に直交する方向）の寸法ｄ１’よりも短くすることが可能となる。また、凹レンズの後段に配置される重畳レンズなどの光学系についても、第１の仮想平面に沿った方向の寸法ｄ２を、第２の仮想平面に沿った方向の寸法ｄ２’よりも短くすることが可能となる。このとき、例えば第１の仮想平面を垂直平面とし、第２の仮想平面を水平平面とすると、本発明の照明装置によれば、凹レンズ及び凹レンズの後段に配置される光学系における垂直方向の径寸法が水平方向の径寸法よりも短くなるため、光源装置における垂直方向の寸法を水平方向の寸法よりも短くすることが可能となる。その結果、照明装置の厚みを従来よりも薄く（照明装置の高さを従来よりも小さく）することが可能となる。
【００１１】
本発明の照明装置においては、前記第１の仮想平面での前記楕円面リフレクタの断面の径寸法をＤとし、前記第２の仮想平面での前記楕円面リフレクタの断面の径寸法をＤ’としたとき、前記楕円面リフレクタは、Ｄ＜Ｄ’となるように、前記反射凹面の一部が削除された形状を有することが好ましい。
【００１２】
このように構成することにより、光源装置における第１の仮想平面に沿った方向（第２の仮想平面に直交する方向）の寸法が、光源装置における第２の仮想平面に沿った方向（第１の仮想平面に直交する方向）の寸法よりもさらに短くなるため、照明装置の厚みを従来よりもさらに薄く（照明装置の高さを従来よりもさらに小さく）することが可能となる。
【００１３】
本発明の照明装置においては、前記光源装置は、前記発光管から被照明領域側に放射される光を前記発光管に向けて反射するための副鏡又は反射膜をさらに有することが好ましい。
【００１４】
このように構成することにより、発光管から被照明領域側に放射される光が楕円面リフレクタに向けて反射されるため、発光管の被照明領域側端部を覆うような大きさに楕円面リフレクタの大きさを設定することを必要とせず、楕円面リフレクタの小型化を図ることができ、結果として照明装置の薄型化を図ることができる。
また、楕円面リフレクタの小型化を図ることができることにより、楕円面リフレクタから楕円面リフレクタの第２焦点に向けて集束するビームの集束角やビームスポットを小さくすることができるため、光源装置の光路後段に配置される光学系の大きさをさらに小さくすることができ、照明装置のさらなる薄型化を図ることができる。
【００１５】
本発明の照明装置においては、前記光源装置は、前記発光管から被照明領域側に放射される光を前記発光管に向けて反射するための副鏡又は反射膜をさらに有し、前記副鏡又は前記反射膜は、前記発光管から前記楕円面リフレクタの前記反射凹面における削除された部分に向けて放射される光を前記発光管に向けて反射するように構成されていることが好ましい。
【００１６】
このように構成することにより、照明装置の薄型化を図るために楕円面リフレクタにおける反射凹面の一部を削除した場合であっても、そのことに起因する光利用効率の低下を抑制することが可能となる。
【００１７】
本発明の照明装置においては、前記光源装置からの照明光束を被照明領域側に向けて射出する凹レンズをさらに備え、前記第１の仮想平面での前記凹レンズの屈折力をρとし、前記第２の仮想平面での前記凹レンズの屈折力をρ’としたとき、ρ＞ρ’であることが好ましい。
【００１８】
ところで、凹レンズに入射する光束の中心軸と照明光軸とのなす角度についてみると、本発明の照明装置によれば、Ｆ２がＦ２’よりも楕円面リフレクタ側の位置にあることによって、第１の仮想平面での凹レンズに入射する光束の中心軸と照明光軸とのなす角度の方が、第２の仮想平面での凹レンズに入射する光束の中心軸と照明光軸とのなす角度に比べて大きな角度となる。このとき、凹レンズは、第１の仮想平面での凹レンズの屈折力の方が、第２の仮想平面での凹レンズの屈折力よりも大きく設定されているため、比較的角度の大きな光については大きな屈折力で屈折し、比較的角度の小さな光については小さな屈折力で屈折することとなり、光源装置からの照明光束を効率よく略平行化することが可能となる。
【００１９】
本発明の照明装置においては、前記光源装置からの照明光束をより均一な面内光強度分布を有する光に変換するインテグレータロッドをさらに備え、前記インテグレータロッドは、前記インテグレータロッドの光入射面における前記第１の仮想平面に直交する方向の寸法が、前記インテグレータロッドの光入射面における前記第２の仮想平面に直交する方向の寸法よりも長くなるように構成されていることが好ましい。
【００２０】
本発明の照明装置によれば、Ｆ２がＦ２’よりも楕円面リフレクタ側の位置にあることから、インテグレータロッドの光入射面の位置を楕円面リフレクタ側に近づけることが可能となる。つまり、楕円面リフレクタとインテグレータロッドとの間の距離を短くすることが可能となるため、照明装置を従来よりも小型にすることが可能となる。
【００２１】
ところで、楕円面リフレクタからの集束光のスポット径についてみると、Ｆ２がＦ２’よりも楕円面リフレクタ側の位置にあることによって、第２の仮想平面内における楕円面リフレクタからの集束光のスポット径の方が、第１の仮想平面内における楕円面リフレクタからの集束光のスポット径よりも大きくなる。
このような集束光が射出される楕円面リフレクタに対し、本発明の照明装置によれば、インテグレータロッドの光入射面における第１の仮想平面に直交する方向（第２の仮想平面に沿った方向）の寸法が、インテグレータロッドの光入射面における第２の仮想平面に直交する方向（第１の仮想平面に沿った方向）の寸法よりも長くなるように構成されたインテグレータロッドを備えているため、楕円面リフレクタからの集束光がインテグレータロッドに良好にのみ込まれるようになり、楕円面リフレクタとインテグレータロッドとの間の距離を短くしたとしても（照明装置を小型化したとしても）、良好な光利用効率を得ることが可能となる。
【００２２】
また、本発明の照明装置によれば、光源装置からの照明光束をより均一な面内光強度分布を有する光に変換するインテグレータロッドを備えているため、光源装置から射出される光の均一度を高くすることが可能となる。
【００２３】
したがって、本発明の照明装置によれば、光源装置から射出される光の均一度を高くしつつ、照明装置を小型化することが可能となる。
【００２４】
本発明の照明装置においては、前記光源装置と前記インテグレータロッドとの間に配置され、前記第２の仮想平面内における前記インテグレータロッドに入射する光の入射角度をより大きくする機能を有するシリンドリカルレンズをさらに備えることが好ましい。
【００２５】
このように構成することにより、第２の仮想平面内における（第２の仮想平面での断面における）インテグレータロッドの内面反射回数を増やすことができるため、インテグレータロッドから射出される光の均一度を高くすることが可能となる。なお、第２の仮想平面内におけるインテグレータロッドの内面反射回数が増えることによって、インテグレータロッドの長さをそれほど長くせずに済むため、照明装置のさらなる小型化を図ることが可能となる。
【００２６】
本発明のプロジェクタは、本発明の照明装置と、前記照明装置からの照明光束を画像情報に応じて変調する電気光学変調装置と、前記電気光学変調装置によって変調された光を投写する投写光学系とを備えることを特徴とする。
【００２７】
このため、本発明のプロジェクタは、従来よりも薄型化を図ることが可能な照明装置を備えているため、従来よりも薄型のプロジェクタとなる。
【発明を実施するための最良の形態】
【００２８】
以下、本発明の照明装置及びプロジェクタについて、図に示す実施の形態に基づいて説明する。
【００２９】
［実施形態１］
図１は、実施形態１に係るプロジェクタ１０００を説明するために示す図である。図１（ａ）はプロジェクタ１０００の光学系を示す側面図であり、図１（ｂ）はプロジェクタ１０００の光学系を示す上面図である。
図２は、光源装置１１０の斜視図である。
図３は、実施形態１に係る照明装置１００を説明するために示す図である。図３（ａ）は垂直平面（ｙｚ平面）で切ったときの光源装置１１０を示す図であり、図３（ｂ）は水平平面（ｘｚ平面）で切ったときの光源装置１１０を示す図である。
図４は、第１レンズアレイ１２０の正面図である。
【００３０】
なお、以下の説明においては、互いに直交する３つの方向をそれぞれｚ軸方向（図１（ａ）における照明光軸１００ａｘ方向）、ｘ軸方向（図１（ａ）における紙面に垂直かつｚ軸に直交する方向）及びｙ軸方向（図１（ａ）における紙面に平行かつｚ軸に直交する方向）とする。
【００３１】
実施形態１に係るプロジェクタ１０００は、図１に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶光変調装置４００Ｒ，４００Ｇ，４００Ｂと、３つの液晶光変調装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３２】
照明装置１００は、被照明領域側に照明光束を射出する光源装置１１０と、凹レンズ９０と、凹レンズ９０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０とを有する。
【００３３】
光源装置１１０は、図１〜図３に示すように、楕円面リフレクタ１１４と、楕円面リフレクタ１１４の第１焦点近傍に発光中心を有する発光管１１２と、発光管１１２から被照明領域側に向けて射出される光を発光管１１２に向けて反射する副鏡１１６とを有する。光源装置１１０は、照明光軸１００ａｘを中心軸とする光束を射出する。
【００３４】
発光管１１２は、管球部と、管球部の両側に延びる一対の封止部とを有する。管球部は、球状に形成された石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００３５】
楕円面リフレクタ１１４は、発光管１１２の一方の封止部に挿通・固着される開口部１０と、発光管１１２から放射された光を第２焦点位置に向けて反射する反射凹面１２とを有する。
【００３６】
また、図３（ａ）に示すように、楕円面リフレクタ１１４を楕円面リフレクタ１１４の中心軸を含む垂直平面（第１の仮想平面）で切ったときの、垂直平面内における楕円面リフレクタ１１４の第１焦点（垂直断面における楕円面リフレクタ１１４の第１焦点）をＦ１、第２焦点をＦ２とし、図３（ｂ）に示すように、楕円面リフレクタ１１４を楕円面リフレクタ１１４の中心軸を含む水平平面（第２の仮想平面）で切ったときの、水平平面内における楕円面リフレクタ１１４の第１焦点（水平断面における楕円面リフレクタ１１４の第１焦点）をＦ１’、第２焦点をＦ２’としたとき、楕円面リフレクタ１１４は、Ｆ１とＦ１’とが同じ位置となり、Ｆ２がＦ２’よりも楕円面リフレクタ１１４側の位置となるような回転非対称性の凹面形状を有する。言い換えると、楕円面リフレクタ１１４は、垂直断面における第１焦点距離ｆ１と水平断面における第１焦点距離ｆ１’とは同じ長さであり、垂直断面における第２焦点距離ｆ２は水平断面における第２焦点距離ｆ２’よりも短くなるような凹面形状を有する。
【００３７】
また、垂直断面における楕円面リフレクタ１１４の径寸法をＤとし、水平断面における楕円面リフレクタ１１４の径寸法をＤ’としたとき、楕円面リフレクタ１１４は、Ｄ＜Ｄ’となるように、反射凹面１２の一部が削除された形状を有する。
【００３８】
副鏡１１６は、発光管１１２の管球部の略半分を覆い、楕円面リフレクタ１１４の反射凹面１２と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。副鏡１１６は、発光管１１２から楕円面リフレクタ１１４の反射凹面１２における削除された部分に向けて放射される光を発光管１１２に向けて反射するように構成されている。
【００３９】
凹レンズ９０は、楕円面リフレクタ１１４の被照明領域側に配置され、楕円面リフレクタ１１４からの光を第１レンズアレイ１２０に向けて射出するように構成されている。凹レンズ９０は、光入射面が非球面のレンズ面からなり、光射出面が平面からなる。
凹レンズ９０のレンズ面は、垂直断面におけるレンズの屈折力をρとし、水平断面におけるレンズの屈折力をρ’としたとき、ρ＞ρ’となるような形状を有する。垂直断面における凹レンズ９０のレンズ面の非球面係数をＫとし、水平断面における凹レンズ９０のレンズ面の非球面係数をＫ’としたとき、Ｋ＜−１、Ｋ’＜−１、かつ、Ｋ’≦Ｋとなるように、凹レンズ９０のレンズ面が構成されている。
【００４０】
第１レンズアレイ１２０は、凹レンズ９０からの光を複数の部分光束に分割する光束分割光学素子としての機能を有し、複数の第１小レンズ１２２が照明光軸１００ａｘと直交する面内に５行・４列のマトリクス状に配列された構成を有する（図４参照。）。第１小レンズ１２２の外形形状は、後述する液晶パネルの画像形成領域の外形形状に関して相似形であって、縦寸法：横寸法＝９：１６である。複数の第１小レンズ１２２が５行・４列に配列され、第１小レンズ１２２の外形形状が縦寸法：横寸法＝９：１６であることから、第１レンズアレイ１２０の外形形状は、縦寸法：横寸法＝４５：６４の比較的扁平な形状となる。
【００４１】
第２レンズアレイ１３０は、重畳レンズ１５０とともに、第１レンズアレイ１２０の各第１小レンズ１２２の像を液晶パネルの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００４２】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸１００ａｘに垂直な方向に反射する偏光分離層と、偏光分離層で反射された他方の偏光成分を有する光を照明光軸１００ａｘに平行な方向に反射する反射層と、偏光分離層を透過した一方の偏光成分を有する光を他方の偏光成分を有する光に変換する位相差板とを有する。
【００４３】
重畳レンズ１５０は、第１レンズアレイ１２０、第２レンズアレイ１３０及び偏光変換素子１４０を経た複数の部分光束を集光して液晶パネルの画像形成領域近傍に重畳させるための光学素子である。重畳レンズ１５０の光軸と照明装置１００の照明光軸１００ａｘとが略一致するように、重畳レンズ１５０が配置されている。なお、重畳レンズ１５０は、複数のレンズを組み合わせた複合レンズで構成されていてもよい。
【００４４】
色分離光学系２００は、ダイクロイックミラー２１０，２２０と、反射ミラー２３０，２４０，２５０と、入射側レンズ２６０と、リレーレンズ２７０とを有する。色分離光学系２００は、重畳レンズ１５０から射出される照明光束を、赤色光、緑色光及び青色光の３つの色光に分離して、それぞれの色光を照明対象となる３つの液晶光変調装置４００Ｒ，４００Ｇ，４００Ｂに導く機能を有する。
【００４５】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過させるミラーである。光路後段に配置されるダイクロイックミラー２２０は、緑色光成分を反射し、青色光成分を透過させるミラーである。
【００４６】
ダイクロイックミラー２１０で反射された赤色光成分は、反射ミラー２３０により曲折され、集光レンズ３００Ｒを介して赤色光用の液晶光変調装置４００Ｒに入射する。集光レンズ３００Ｒは、重畳レンズ１５０からの各部分光束を各主光線に対して略平行な光束に変換するために設けられている。なお、他の集光レンズ３００Ｇ，３００Ｂも、集光レンズ３００Ｒと同様に構成されている。
【００４７】
ダイクロイックミラー２１０を通過した緑色光成分及び青色光成分のうち緑色光成分は、ダイクロイックミラー２２０で反射され、集光レンズ３００Ｇを通過して緑色光用の液晶光変調装置４００Ｇに入射する。一方、青色光成分は、ダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶光変調装置４００Ｂに入射する。入射側レンズ２６０、リレーレンズ２７０及び反射ミラー２４０，２５０は、ダイクロイックミラー２２０を透過した青色光成分を液晶光変調装置４００Ｂまで導く機能を有する。
【００４８】
液晶光変調装置４００Ｒ，４００Ｇ，４００Ｂは、画像情報に応じて照明光束を変調するものであり、照明装置１００の照明対象となる。
液晶光変調装置４００Ｒ，４００Ｇ，４００Ｂは、ここでは図示による説明を省略するが、液晶パネルと、液晶パネルの光入射側に配置される入射側偏光板と、液晶パネルの光射出側に配置される射出側偏光板とを有する。
【００４９】
液晶パネルは、一対の透明なガラス基板（対向基板とＴＦＴ基板）に電気光学物質である液晶を密閉封入したものであり、ＴＮ型の液晶パネルである。例えば、ポリシリコンＴＦＴをスイッチング素子として、与えられた画像情報に従って、入射側偏光板から射出される１種類の直線偏光の偏光方向を変調する。液晶パネルとしては、画像形成領域のアスペクト比が９：１６のワイドビジョン用の液晶パネルを用いている。
【００５０】
入射側偏光板、液晶パネル及び射出側偏光板によって入射する各色光の光変調が行われる。
【００５１】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成される。
【００５２】
クロスダイクロイックプリズム５００から射出されたカラー画像は、投写光学系６００によって拡大投写され、スクリーンＳＣＲ上で大画面画像を形成する。
【００５３】
以下、実施形態１に係る照明装置１００について、さらに詳細に説明する。
【００５４】
図５は、楕円面リフレクタ１１４の凹面形状を説明するために示す図である。図５において、破線で示す楕円αは、垂直断面における楕円面リフレクタ１１４の凹面形状もとに仮想的に描かれた楕円であり、実線で示す楕円α’は、水平断面における楕円面リフレクタ１１４の凹面形状をもとに仮想的に描かれた楕円である。
【００５５】
垂直断面における第１焦点Ｆ１と水平断面における第１焦点Ｆ１’とが同じ位置となり、垂直断面における第２焦点Ｆ２が水平断面における第２焦点Ｆ２’よりも第１焦点側の位置となるような凹面形状を有する楕円面リフレクタの場合、図５からわかるように、楕円αの大きさは楕円α’よりも小さくなる。このとき、図５に示す直線Ｖの位置が楕円面リフレクタの開口端面の位置と仮定して、楕円面リフレクタの開口端面における径寸法を比較すると、図５からわかるように、楕円面リフレクタの開口端面における垂直方向の径寸法ｄは、楕円面リフレクタの開口端面における水平方向の径寸法ｄ’よりも短くなる。
【００５６】
このように、実施形態１に係る照明装置１００によれば、楕円面リフレクタ１１４における垂直方向の径寸法が水平方向の径寸法よりも短くなるため、光源装置１１０における垂直方向の寸法を水平方向の寸法よりも短くすることが可能となる。その結果、照明装置１００の厚みを従来よりも薄く（照明装置１００の高さを従来よりも小さく）することが可能となる。
【００５７】
図６は、実施形態１に係る照明装置１００を説明するために示す図である。図６（ａ）は照明装置１００の側面図であり、図６（ｂ）は照明装置１００の上面図である。
図７は、実施形態１の比較例に係る照明装置１００ａを説明するために示す図である。図７（ａ）は照明装置１００ａの側面図であり、図７（ｂ）は照明装置１００ａの上面図である。
【００５８】
実施形態１の比較例に係る照明装置１００ａは、基本的には実施形態１に係る照明装置１００とよく似た構成を有するが、楕円面リフレクタとして、Ｆ１とＦ１’とが同じ位置となり、Ｆ２とＦ２’とが同じ位置となる楕円面リフレクタ、すなわち、回転対称性の楕円面リフレクタを備えている点で、実施形態１に係る照明装置１００とは異なる。
【００５９】
このため、比較例に係る照明装置１００ａによれば、図７に示すように、凹レンズ９０ａにおける垂直方向（ｙ軸方向）の寸法ｄ１は、凹レンズ９０ａにおける水平方向（ｘ軸方向）の寸法ｄ１’と同じ長さとなる。つまり、比較例に係る照明装置１００ａによれば、凹レンズ９０ａにおける垂直方向の寸法ｄ１を小さくすることができない。また、凹レンズ９０ａにおける垂直方向の寸法ｄ１を小さくすることができないことから、凹レンズ９０ａの後段に配置される光学系（第１レンズアレイ１２０ａ、第２レンズアレイ１３０ａ、偏光変換素子１４０ａ及び重畳レンズ１５０ａ）についても、垂直方向の最大寸法ｄ２を小さくすることができない。その結果、照明装置１００ａの厚みを薄くすることができない。
【００６０】
これに対し、実施形態１に係る照明装置１００によれば、Ｆ２がＦ２’よりも楕円面リフレクタ側の位置にあることから、図６に示すように、凹レンズ９０における垂直方向の寸法ｄ１を、凹レンズ９０における水平方向の寸法ｄ１’よりも短くすることが可能となる。また、凹レンズ９０の後段に配置される光学系（第１レンズアレイ１２０、第２レンズアレイ１３０、偏光変換素子１４０及び重畳レンズ１５０）についても、垂直方向の寸法ｄ２を、水平方向の寸法ｄ２’よりも短くすることが可能となる。その結果、照明装置１００の厚みを従来よりも薄く（照明装置１００の高さを従来よりも小さく）することが可能となる。
【００６１】
実施形態１に係る照明装置１００においては、図３に示すように、垂直断面における楕円面リフレクタ１１４の径寸法をＤとし、水平断面における楕円面リフレクタ１１４の径寸法をＤ’としたとき、楕円面リフレクタ１１４は、Ｄ＜Ｄ’となるように、反射凹面１２の一部が削除された形状を有する。これにより、光源装置１１０における垂直方向の寸法が、光源装置１１０における水平方向の寸法よりもさらに短くなるため、照明装置１００の厚みを従来よりもさらに薄く（照明装置１００の高さを従来よりもさらに小さく）することが可能となる。
【００６２】
実施形態１に係る照明装置１００においては、光源装置１１０は、上記した副鏡１１６をさらに有するため、発光管１１２から被照明領域側に放射される光が楕円面リフレクタ１１４に向けて反射されることとなる。このため、発光管１１２の被照明領域側端部を覆うような大きさに楕円面リフレクタ１１４の大きさを設定することを必要とせず、楕円面リフレクタ１１４の小型化を図ることができ、結果として照明装置１００の薄型化を図ることができる。
また、楕円面リフレクタ１１４の小型化を図ることができることにより、楕円面リフレクタ１１４から楕円面リフレクタ１１４の第２焦点に向けて集束するビームの集束角やビームスポットを小さくすることができるため、光源装置１１０の光路後段に配置される光学系（第１レンズアレイ１２０、第２レンズアレイ１３０、偏光変換素子１４０及び重畳レンズ１５０）の大きさをさらに小さくすることができ、照明装置１００のさらなる薄型化を図ることができる。
【００６３】
また、実施形態１に係る照明装置１００においては、副鏡１１６は、発光管１１２から楕円面リフレクタ１１４の反射凹面１２における削除された部分に向けて放射される光を発光管１１２に向けて反射するように構成されているため、照明装置１００の薄型化を図るために楕円面リフレクタ１１４における反射凹面１２の一部を削除した場合であっても、そのことに起因する光利用効率の低下を抑制することが可能となる。
【００６４】
ところで、凹レンズ９０に入射する光束の中心軸と照明光軸１００ａｘとのなす角度についてみると、実施形態１に係る照明装置１００によれば、Ｆ２がＦ２’よりも楕円面リフレクタ側の位置にあることによって、図示による説明は省略するが、垂直断面における凹レンズ９０に入射する光束の中心軸と照明光軸１００ａｘとのなす角度（垂直断面における凹レンズ９０への入射角度）の方が、水平断面における凹レンズ９０に入射する光束の中心軸と照明光軸１００ａｘとのなす角度（水平断面における凹レンズ９０への入射角度）に比べて大きな角度となる。このとき、凹レンズ９０は、垂直断面における凹レンズの屈折力の方が、水平断面における凹レンズの屈折力よりも大きく設定されているため、比較的角度の大きな光（垂直断面における凹レンズ９０に入射する光）については大きな屈折力で屈折し、比較的角度の小さな光（水平断面における凹レンズ９０に入射する光）については小さな屈折力で屈折することとなり、光源装置１１０からの照明光束を効率よく略平行化することが可能となる。
【００６５】
実施形態１に係る照明装置１００においては、上述のように、第１レンズアレイ１２０と、第２レンズアレイ１３０と、偏光変換素子１４０と、重畳レンズ１５０とを備えている。そして、図６（ａ）に示すように、第１レンズアレイ１２０、第２レンズアレイ１３０、偏光変換素子１４０及び重畳レンズ１５０における、垂直方向（ｙ軸方向）の長さは、略同一であるため、光源装置１１０から射出される光の均一度を高くしつつ、照明装置１００の厚みを比較的薄くすることが可能となる。
【００６６】
図８は、照明装置１００内の面内光強度分布を示す図である。図８（ａ）は楕円面リフレクタ１１４から射出される光の面内光強度分布を示す図であり、図８（ｂ）は凹レンズ９０から射出される光の面内光強度分布を示す図であり、図８（ｃ）は第１レンズアレイ１２０から射出される光の面内光強度分布を示す図であり、図８（ｄ）は偏光変換素子１４０から射出される光の面内光強度分布を示す図である。
【００６７】
実施形態１に係る照明装置１００においては、上述の構成からなる楕円面リフレクタ１１４を備えていることから、光源装置１１０（凹レンズ９０）から射出される照明光束は、図８（ｂ）に示すように扁平なものとなる。このとき、第１レンズアレイ１２０の外形形状が比較的扁平なものである（縦寸法：横寸法＝４５：６４である。）ため（図４参照。）、図８（ｃ）からもわかるように、光源装置１１０（凹レンズ９０）から射出される扁平な照明光束を効率よく利用することが可能となる。
【００６８】
実施形態１に係るプロジェクタ１０００は、上述のように、従来よりも薄型化を図ることが可能な照明装置１００を備えているため、従来よりも薄型のプロジェクタとなる。
【００６９】
［実施形態２］
図９は、実施形態２に係る照明装置１０２及びプロジェクタ１００２を説明するために示す図である。図９（ａ）はプロジェクタ１００２の光学系を示す側面図であり、図９（ｂ）はプロジェクタ１００２の光学系を示す上面図であり、図９（ｃ）はカラーホイール１７０を説明するために示す図である。
なお、図９において、図１と同一の部材については同一の符号を付し、詳細な説明は省略する。
【００７０】
実施形態２に係るプロジェクタ１００２は、図９に示すように、照明装置１０２と、照明装置１０２の光射出側に配置されるカラーホイール１７０と、カラーホイール１７０を通過した光を被照明領域に導光するリレー光学系３１０と、リレー光学系３１０からの光を画像情報に応じて変調する電気光学変調装置としてのマイクロミラー型光変調装置４１０と、マイクロミラー型光変調装置４１０で変調された光をスクリーンＳＣＲ等の投写面に投写する投写光学系６１０とを備えるプロジェクタである。
【００７１】
照明装置１０２は、被照明領域側に照明光束を射出する光源装置１１０と、光源装置１１０からの照明光束をより均一な面内光強度分布を有する光に変換するインテグレータロッド１６０とを備える。なお、光源装置１１０は、実施形態１で説明したものと同様であるため、詳細な説明は省略する。
【００７２】
インテグレータロッド１６０は、光源装置１１０からの光を内面で多重反射させることにより、光源装置１１０からの光をより均一な強度分布を有する光に変換する機能を有する光学部材である。インテグレータロッド１６０は、光路後段に向けて細くなるようなテーパ形状を有する。インテグレータロッド１６０としては、例えば、中実のガラスロッドを好適に用いることができる。
【００７３】
インテグレータロッド１６０の光入射面は、垂直方向（ｙ軸方向）の寸法が水平方向（ｘ軸方向）の寸法よりも長くなるように構成されている。なお、実施形態２に係る照明装置１０２においては、インテグレータロッド１６０の光入射面が、垂直断面における楕円面リフレクタ１１４の第２焦点Ｆ２の位置にくるように、インテグレータロッド１６０が配置されている。
【００７４】
インテグレータロッド１６０の光射出面の形状は、図示による説明を省略するが、マイクロミラー型光変調装置４１０の画像形成領域の形状とほぼ相似形をなすように設定されている。ただし、照明光軸１０２ａｘはマイクロミラー型光変調装置４１０の中心軸に対して傾斜して配置されているので、マイクロミラー型光変調装置４１０に照射される光は、この傾斜に応じて歪んだ輪郭形状を有することとなる。したがって、このような場合におけるインテグレータロッド１６０の光射出面の形状としては、マイクロミラー型光変調装置４１０に照射される光の輪郭の歪みを補正するような形状とすることがより好ましい。
【００７５】
カラーホイール１７０は、図９（ｃ）に示すように、回転方向に沿って区切られた４つの扇形の領域に３つの透過型のカラーフィルタ１７２Ｒ，１７２Ｇ，１７２Ｂが形成された円板状部材である。カラーホイール１７０の中心部分には、カラーホイール１７０を回転させるためのモータ１７４が配置されている。
【００７６】
カラーフィルタ１７２Ｒは、インテグレータロッド１６０からの照明光束のうち、赤の波長領域の光を透過し、他の波長領域の光を反射又は吸収することにより、赤色光成分のみを透過するものである。同様に、カラーフィルタ１７２Ｇ，１７２Ｂは、それぞれ、インテグレータロッド１６０からの照明光束のうち、緑又は青の波長領域の光を透過し、他の波長領域の光を反射又は吸収することにより、緑色光成分又は青色光成分のみを透過するものである。カラーフィルタ１７２Ｒ，１７２Ｇ，１７２Ｂは、例えば、誘電体多層膜や、塗料を用いて形成されたフィルタ板などを好適に用いることができる。４つの扇形領域において、カラーフィルタ１７２Ｒ，１７２Ｇ，１７２Ｂ以外の部分は、透光領域１７２Ｗとなっており、インテグレータロッド１６０からの光がそのまま通過できるようになっている。この透光領域１７２Ｗにより、投写画像中の輝度を上げることができ、投写画像の明るさを確保することができる。
【００７７】
なお、カラーホイール１７０は省略することも可能であり、この場合における投写画像はモノクロ画像である。
【００７８】
インテグレータロッド１６０から射出された照明光束は、カラーホイール１７０を通過することにより、上述のように赤色光、緑色光及び青色光の３つの色光成分を含む照明光束になり、この照明光束は、リレー光学系３１０によって拡大されて、マイクロミラー型光変調装置４１０の画像形成領域上に照射される。
【００７９】
リレー光学系３１０は、図９（ａ）及び図９（ｂ）に示すように、リレーレンズ３１２と、反射ミラー３１４と、集光レンズ３１６とを有し、インテグレータロッド１６０（カラーホイール１７０）からの照明光束をマイクロミラー型光変調装置４１０の画像形成領域に導く機能を有する。
【００８０】
リレーレンズ３１２は、集光レンズ３１６とともに、インテグレータロッド１６０からの照明光束を発散させずにマイクロミラー型光変調装置４１０の画像形成領域近傍に結像させる機能を有する。なお、リレーレンズ３１２は、１枚のレンズで構成されていてもよいし、複数のレンズを組み合わせた複合レンズで構成されていてもよい。
【００８１】
反射ミラー３１４は、照明光軸１０２ａｘに対して傾斜して配置され、リレーレンズ３１２からの照明光束を曲折し、マイクロミラー型光変調装置４１０へと導光する。これにより、プロジェクタ１００２をコンパクトにすることができる。
【００８２】
集光レンズ３１６は、リレーレンズ３１２及び反射ミラー３１４からの照明光束をマイクロミラー型光変調装置４１０の画像形成領域にほぼ重畳させ、かつ、マイクロミラー型光変調装置４１０によって変調された光を投写光学系６１０とともに拡大投写するものである。
【００８３】
マイクロミラー型光変調装置４１０は、リレー光学系３１０からの光を画像情報に応じて各画素に対応するマイクロミラーで反射することにより、画像を表す画像光を投写光学系６１０へと射出する機能を有する反射方向制御型光変調装置である。マイクロミラー型光変調装置４１０としては、例えば、ＤＭＤ（デジタルマイクロミラーデバイス）（ＴＩ社の商標）を用いることができる。
【００８４】
マイクロミラー型光変調装置４１０から射出される画像光は、投写光学系６１０によって拡大投写され、スクリーンＳＣＲ上で大画面画像を形成する。
【００８５】
マイクロミラー型光変調装置４１０と投写光学系６１０とは、それぞれの中心軸が一致するように配置されている。なお、実施形態２に係るプロジェクタ１００２をあおり投写の構成を有するプロジェクタとする場合には、マイクロミラー型光変調装置４１０の中心軸に対して投写光学系６１０の投写光軸６１０ａｘがあおり方向にずれるように構成することが好ましい。
【００８６】
以上のように構成された実施形態２に係る照明装置１０２によれば、実施形態１で説明した楕円面リフレクタ１１４を備えているため、光源装置１１０における垂直方向の寸法を水平方向の寸法よりも短くすることが可能となり、結果として、照明装置１０２の厚みを従来よりも薄く（照明装置１０２の高さを従来よりも小さく）することが可能となる。
【００８７】
したがって、実施形態２に係る照明装置１０２は、実施形態１に係る照明装置１００と同様に、従来よりも薄型化を図ることが可能な照明装置となる。
【００８８】
また、実施形態２に係る照明装置１０２によれば、Ｆ２がＦ２’よりも楕円面リフレクタ側の位置にあることから、インテグレータロッド１６０の光入射面の位置を楕円面リフレクタ側に近づけることが可能となる。つまり、楕円面リフレクタ１１４とインテグレータロッド１６０との間の距離を短くすることが可能となるため、照明装置１０２を従来よりも小型にすることが可能となる。
【００８９】
ところで、楕円面リフレクタ１１４からの集束光のスポット径についてみると、Ｆ２がＦ２’よりも楕円面リフレクタ側の位置にあることによって、水平断面における楕円面リフレクタ１１４からの集束光のスポット径（図９（ｂ）参照。）の方が、垂直断面における楕円面リフレクタ１１４からの集束光のスポット径（図９（ａ）参照。）よりも大きくなる。
このような集束光が射出される楕円面リフレクタ１１４に対し、実施形態２に係る照明装置１０２によれば、水平方向の寸法が垂直方向の寸法よりも長い光入射面を有するインテグレータロッド１６０を備えているため、楕円面リフレクタ１１４からの集束光がインテグレータロッド１６０に良好にのみ込まれるようになり、楕円面リフレクタ１１４とインテグレータロッド１６０との間の距離を短くしたとしても（照明装置１０２を小型化したとしても）、良好な光利用効率を得ることが可能となる。
【００９０】
また、実施形態２に係る照明装置１０２によれば、光源装置１１０からの照明光束をより均一な面内光強度分布を有する光に変換するインテグレータロッド１６０を備えているため、光源装置１１０から射出される光の均一度を高くすることが可能となる。
【００９１】
したがって、実施形態２に係る照明装置１０２によれば、光源装置１１０から射出される光の均一度を高くしつつ、照明装置１０２を小型化することが可能となる。
【００９２】
実施形態２に係るプロジェクタ１００２は、上述のように、従来よりも薄型化を図ることが可能な照明装置１０２を備えているため、従来よりも薄型のプロジェクタとなる。
【００９３】
［実施形態３］
図１０は、実施形態３に係る照明装置１０４を説明するために示す図である。図１０（ａ）は照明装置１０４の光学系を示す側面図であり、図１０（ｂ）は照明装置１０４の光学系を示す上面図である。
なお、図１０において、図９と同一の部材については同一の符号を付し、詳細な説明は省略する。
【００９４】
実施形態３に係る照明装置１０４は、基本的には実施形態２に係る照明装置１０２とよく似た構成を有するが、シリンドリカルレンズをさらに備える点で、実施形態２に係る照明装置１０２とは異なる。
【００９５】
シリンドリカルレンズ１８０は、図１０に示すように、光源装置１１０とインテグレータロッド１６２との間に配置され、水平断面におけるインテグレータロッド１６２に入射する光の入射角度をより大きくする機能を有する。
【００９６】
このように、実施形態３に係る照明装置１０４は、実施形態２に係る照明装置１０２とは、シリンドリカルレンズをさらに備える点で異なるが、実施形態２に係る照明装置１０２の場合と同様に、実施形態１で説明した楕円面リフレクタ１１４を備えているため、光源装置１１０における垂直方向の寸法を水平方向の寸法よりも短くすることが可能となり、結果として、照明装置１０４の厚みを従来よりも薄く（照明装置１０４の高さを従来よりも小さく）することが可能となる。
【００９７】
したがって、実施形態３に係る照明装置１０４は、実施形態１及び２に係る照明装置１００，１０２と同様に、従来よりも薄型化を図ることが可能な照明装置となる。
【００９８】
実施形態３に係る照明装置１０４においては、上述のシリンドリカルレンズ１８０をさらに備えるため、水平断面におけるインテグレータロッド１６２の内面反射回数を増やすことができ、インテグレータロッド１６２から射出される光の均一度を高くすることが可能となる。なお、水平断面におけるインテグレータロッド１６２の内面反射回数が増えることによって、インテグレータロッド１６２の長さをそれほど長くせずに済むため、照明装置１０４のさらなる小型化を図ることが可能となる。
【００９９】
以上、本発明の照明装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１００】
（１）上記実施形態１においては、画像形成領域のアスペクト比が９：１６のワイドビジョン用の電気光学変調装置（液晶光変調装置）を用いたが、本発明はこれに限定されるものではなく、例えば、画像形成領域のアスペクト比が３：４の電気光学変調装置にも本発明を適用することができる。
【０１０１】
（２）上記実施形態１においては、第１レンズアレイの第１小レンズが５行４列に配列されている場合を例示して説明したが、本発明はこれに限定されるものではなく、他の分割数で第１レンズアレイが分割されていてもよい。
【０１０２】
（３）上記各実施形態においては、発光管に配設される反射手段として副鏡を用いたが、本発明はこれに限定されるものではなく、反射手段として反射膜を用いることも好ましい。
【０１０３】
（４）上記実施形態２及び３においては、インテグレータロッドとして、中実のロッドを用いたが、本発明はこれに限定されるものではなく、中空のロッド（例えば４枚の反射ミラーを貼り合わせたもの）を用いてもよい。
【０１０４】
（５）上記実施形態１に係るプロジェクタ１０００は透過型のプロジェクタであるが、本発明はこれに限定されるものではない。本発明は反射型のプロジェクタにも適用することが可能である。ここで、「透過型」とは、透過型の液晶光変調装置等のように光変調手段としての電気光学変調装置が光を透過するタイプであることを意味しており、「反射型」とは、反射型の液晶光変調装置等のように光変調手段としての電気光学変調装置が光を反射するタイプであることを意味している。反射型のプロジェクタにこの発明を適用した場合にも、透過型のプロジェクタと同様の効果を得ることができる。
【０１０５】
（６）上記実施形態１においては、３つの液晶光変調装置４００Ｒ，４００Ｇ，４００Ｂを用いたプロジェクタを例示して説明したが、本発明はこれに限定されるものではなく、１つ、２つ又は４つ以上の液晶光変調装置を用いたプロジェクタにも適用可能である。
【０１０６】
（７）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１０７】
【図１】実施形態１に係るプロジェクタ１０００を説明するために示す図。
【図２】光源装置１１０の斜視図。
【図３】実施形態１に係る照明装置１００を説明するために示す図。
【図４】第１レンズアレイ１２０の正面図。
【図５】楕円面リフレクタ１１４の凹面形状を説明するために示す図。
【図６】実施形態１に係る照明装置１００を説明するために示す図。
【図７】実施形態１の比較例に係る照明装置１００ａを説明するために示す図。
【図８】照明装置１００内の面内光強度分布を示す図。
【図９】実施形態２に係る照明装置１０２及びプロジェクタ１００２を説明するために示す図。
【図１０】実施形態３に係る照明装置１０４を説明するために示す図。
【符号の説明】
【０１０８】
１０…開口部、１２…反射凹面、９０，９０ａ…凹レンズ、１００，１００ａ，１０２，１０４…照明装置、１００ａｘ，１００ａａｘ，１０２ａｘ，１０４ａｘ…照明光軸、１１０，１１０ａ…光源装置、１１２，１１２ａ…発光管、１１４，１１４ａ…楕円面リフレクタ、１１６，１１６ａ…副鏡、１２０，１２０ａ…第１レンズアレイ、１２２，１２２ａ…第１小レンズ、１３０，１３０ａ…第２レンズアレイ、１３２，１３２ａ…第２小レンズ、１４０，１４０ａ…偏光変換素子、１５０，１５０ａ…重畳レンズ、１６０，１６２…インテグレータロッド、１７０…カラーホイール、１７２Ｒ，１７２Ｇ，１７２Ｂ…カラーフィルタ、１７２Ｗ…透光領域、１７４…モータ、１８０…シリンドリカルレンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、３１０…リレー光学系、３１２…リレーレンズ、３１４…反射ミラー、３１６…集光レンズ、４００Ｒ，４００Ｇ，４００Ｂ…液晶光変調装置、４１０…マイクロミラー型光変調装置、５００…クロスダイクロイックプリズム、６００，６１０…投写光学系、６１０ａｘ…投写光軸、１０００，１００２…プロジェクタ、Ｄ…垂直断面における楕円面リフレクタの径寸法、Ｄ’…水平断面における楕円面リフレクタの径寸法、ｄ１…垂直断面における凹レンズの寸法、ｄ１’…水平断面における凹レンズの寸法、ｄ２…垂直断面における重畳レンズの寸法、ｄ２’…水平断面における重畳レンズの寸法、Ｆ１…垂直断面における楕円面リフレクタの第１焦点、Ｆ１’…水平断面における楕円面リフレクタの第１焦点、Ｆ２…垂直断面における楕円面リフレクタの第２焦点、Ｆ２’…水平断面における楕円面リフレクタの第２焦点、ＳＣＲ…スクリーン
【図１】
0004420087.tif 000002
【図３】
0004420087.tif 000003
【図４】
0004420087.tif 000004
【図５】
0004420087.tif 000005
【図６】
0004420087.tif 000006
【図７】
0004420087.tif 000007
【図１０】
0004420087.tif 000008
【図２】
0004420087.tif 000009
【図８】
0004420087.tif 000010
【図９】
0004420087.tif 000011